(57)【要約】【課題】目ずれしない農業用ネットを提供すること。【解決手段】農業用ネットにおいて、樹脂製の糸又はヒモが互いに交差する箇所で融着している構造とした。そのような構造の農業用ネットは、円筒状の摺動面に沿って等間隔にオリフィスが配された環状一対の内側ダイス及び外側ダイスを備えた押し出し機にて、上記内側ダイス及び外側ダイスを互いに逆回転させるか、又は、その一方のみを回転させながら、溶融押出しすることにより効率よく得られる。【選択図】図３
0003225373.tif 000002
【実用新案登録請求の範囲】
【請求項１】
互いに交差する樹脂製の糸又はヒモよりなる農業用ネットであって、前記農業用ネットは、前記樹脂製の糸又はヒモは交差箇所にて融着していることを特徴とする農業用ネット。
【請求項２】
円筒状の摺動面に沿って等間隔にオリフィスが配された環状一対の内側ダイス及び外側ダイスを備えた押し出し機にて、
前記内側ダイス及び外側ダイスを互いに逆回転させるか、
又は、その一方のみを回転させながら、
樹脂を溶融押出しした請求項１に記載の農業用ネット。
【考案の詳細な説明】
【技術分野】
【０００１】
本考案は、農産物を野鳥や獣から守る農業用ネットに関する。更に詳しくは、網目サイズが変化しにくい農業用ネットに関する。
【背景技術】
【０００２】
農産物を、野鳥、イノシシ、サル、クマ等の動物の食害から守るため、防鳥ネットや防獣ネットが多く使用されている。これらの農業用ネットに必要な特性として、破れにくいことのほかに、目ずれしにくいことがあげられる。目ずれとは、強風や、ネットに捕捉された動物が暴れることが原因で、ネットの網目サイズ（合い目ともいう）が変化してしまう不具合をいう。
これらの農業用ネットは、従来、漁網の製法に倣い、プラスチックの糸や撚糸を結って作られている。
これらのネット（以後、「網」の用語を用いることがある）は、結節（結節部、結び目）の有無により、有結節網と無結節網に大別される。
有結節網は、もともと目ずれを抑えるための結い方であるが、目ずれが完全に解消されるわけではなく、ネットの一部に強い引っ張りの力が加わると目ずれが発生する。さらに、結節部を有するため、その部分の重量が増え、かつ、結節部で糸が屈曲しているため、網の破断強度が低下するという欠点があった。
他方、無結節網は有結節網の強度不足を補う利点を備えてはいるものの、網が切れるとその切断部より「ほつれ」が伝搬していくという欠点があった。
このように、有結節網、無結節網ともそれぞれ一長一短があるのが実情である。
【先行技術文献】
【非特許文献】
【０００３】
【非特許文献１】Wikipedia漁網
【考案の概要】
【考案が解決しようとする課題】
【０００４】
そこで本考案者は、従来の有結節網に見られた結節部に起因する破断強度の低下や重量増もなく、あるいは無結節網が弱点とするほつれ易さもなく、かつ、「目ずれ」が発生しない農業用ネットの確立に向け鋭意検討を進めた。
【課題を解決するための手段】
【０００５】
その結果、互いに交差する樹脂製の糸又はヒモよりなる農業用ネットにおいて、それらの糸又はヒモを交差箇所にて融着させることにより、上記課題が解決されることを見出し、本考案を完成するに至った。さらに、そのような農業用ネットは、円筒状の摺動面に沿って等間隔にオリフィスが配された環状一対の内側ダイス及び外側ダイスを先端に備えた押し出し機にて、内側ダイス及び外側ダイスを互いに逆回転させるか、又は、その一方のみを回転させながら、樹脂を溶融押出しすることにより、効率的に得られることをも見出した。
【考案の効果】
【０００６】
本考案の農業用ネットは、ネットを構成している糸が交差箇所で互いに融着しているため、原理的に目ずれが生じない。また、結節部がないため、従来の有結節網に見られた破断強度の低下や重量増もない。よって、野鳥や獣の食害から農産物を保護する農業用ネットとして使用するのに適している。
【図面の簡単な説明】
【０００７】
【図１】有結節網を示す図である。
【図２】無結節網を示す図である。
【図３】本考案の農業用ネットの構造を模式的に示す図である。
【図４】本考案の農業用ネットの製造工程の概要図である。
【図５】内側ダイスと外側ダイスの構造の要部を示す図である。
【図６】内側ダイスのオリフィスと外側ダイスのオリフィスを示す図である。
【図７】内側ダイスと外側ダイスのオリフィス同士が合流したときの溶融樹脂の吐出状態を示す図である。
【図８】内側ダイスと外側ダイスのオリフィス同士が分離しているときの溶融樹脂の吐出状態を示す図である。
【図９】内側ダイスと外側ダイスが互いに異方向に回転しているときに溶融樹脂のストランドが相互に融着と分岐を繰り返す一連の動きを示す図である。
【図１０】内側ダイスと外側ダイスのうち、一方のみの回転により得られるネット構造の模式図である。
【考案を実施するための形態】
【０００８】
以下、図面に基づいて本考案を説明する。
図１，２は従来の防鳥ネット、防獣ネットに適用されている有結節網50、無結節網60である。
有結節網50は結節部51が緩んで網目サイズＬが変化しやすいばかりでなく、結節部51の部分で撚糸が大きく屈曲しているため破断しやすい（図１）。
他方、無結節網60は結節部に代えて交絡部61を有するが、糸が切れると、引張により交絡部61の糸同士は容易にほつれてしまう（図２）。
【０００９】
図３は、本考案になる農業用ネット100の構造を模式的に示す図である。糸状又はヒモ状の樹脂が交差箇所で互いに融着部21を形成しているのが特徴である。
以下、本考案の農業用ネットにおいて、糸状又はヒモ状の樹脂が交差箇所にて如何に融着し、ネットを構成しているかについて図を用いて説明する。
【００１０】
図４は、本考案の農業用ネットの製造工程の概要図である。本考案の農業用ネットは、その先端に特定構造のダイスを備える押し出し機1にて連続的に製造される。
ホッパー2より供給された樹脂は、スクリュー3にて溶融され、ブレーカープレート4を経て樹脂通路9（図５）を経て、特定構造のダイス部に至る。ダイスを経て吐出された樹脂ストランドは、ダイスの動きにより、互いに合流と分岐を繰り返しながら円筒状のネット構造を形成し、吐出口直下の冷却バス90にて冷却されながら延伸され、巻取り機（図示していない）にて巻き取られる。この過程にて、樹脂ストランドはヒモ状又は糸状に引き延ばされ、本考案の農業用ネット100として巻き取られる。冷却バス90は、冷却と引き延ばしを円滑に行うためのローラー91を備えている。この他、円筒状ネットの側面に切れ目を入れるカッター92を備えているのが好ましい（図４）。
【００１１】
図5は本考案の農業用ネットを製造する押し出し機の先端に設けられる特定構造のダイスの要部を示す図である（各々のダイスの駆動部は省略してある）。
図5において、押し出し機のスクリュー3により溶融された樹脂は、マンドレル円柱部7とマンドレル円錐部8により樹脂通路9へ導かれる。樹脂通路9の先端には、軸心を同一にして円筒状の摺動面12にて摺動回転する一対の環状型の内側ダイス10及び外側ダイス11が備わっている。「軸心を同一にして摺動回転する」とは、典型的には、内側ダイス10と外側ダイス11とが、互いに逆方向にて回転する態様を示すが、一方のみを回転させる態様も含まれる。なお、内側ダイス10と外側ダイス11の摺動面12は、全周にわたって可能な限り狭くなっている。
【００１２】
内側ダイス10と外側ダイス11には、摺動面12に沿って、内側ダイスのオリフィス10aと外側ダイスのオリフィス11aとが、等間隔に等しい数だけ形成されている（図６）。つまり、図６において、内側ダイスのオリフィス10aと摺動面12とが画する円弧ABと、外側ダイスのオリフィス11aと摺動面12とが画する円弧CDとの長さは相等しい。
【００１３】
そうすると、内側ダイスのオリフィス10aと外側ダイスのオリフィス11aとが摺動面12に対し同じ位置にあるときは、両オリフィスより吐出された溶融樹脂は合体して一本のストランド20を形成する（第７図）。他方、内側ダイスのオリフィス10aと外側ダイスのオリフィス11aとが摺動面12に対し互いに離れた位置にあるときは、両オリフィスより吐出された溶融樹脂はそれぞれ別の二本のストランド20を形成する（第８図）。
【００１４】
したがって、内側ダイス10と外側ダイス11とが同一回転数にて互いに逆方向に回転した状態で溶融ストランドを引っ張り続けると、内側ダイスのオリフィス10aと外側ダイスのオリフィス11aを出たストランド20は、隣接したストランドとの距離が離れ、やがて、その隣のストランドとの距離を狭め、ついにはそのストランドと合流する、という融着と分岐の一連の挙動が繰り返され、ネット構造が形成される（第９図）。
【００１５】
糸の太さは、樹脂の吐出速度、巻き取り速度、内側ダイスのオリフィス10aと外側ダイスのオリフィス11aの径などを調整することにより制御できる。
また、網目サイズL（第３図）は、ダイス径とダイスに設けられるオリフィスの数、樹脂の吐出速度、内側ダイス10と外側ダイス11の相対回転速度、巻き取り速度により調節することができる。
上記の糸の太さと網目サイズは、防鳥ネット、防獣ネットその他農業用ネットの用途に応じ調整される。防鳥ネット用には、糸を細くし、網目サイズも小さくする。他方、防獣ネット用には、糸を太くし（場合によりヒモ状に太くし）、網目サイズも大きめに作られる。
【００１６】
ダイスの大きさはネットを構成する糸の太さ、展開前のネットの幅などにもよるが、一般には、内側ダイス10の外径（外側ダイス11の内径）は５０ｍｍから３００ｍｍの範囲であり、内側ダイスのオリフィス10a（外側ダイスのオリフィス11a）の径は、０．５ｍｍから１０ｍｍの範囲であるが、これらの範囲に制約されない。
【００１７】
本考案の農業用ネットは、溶融押出のできる樹脂であれば、特に制約なく製造できるが、代表的な樹脂として、ポリエチレン、ポリプロピレン、ポリエステル、ナイロン樹脂を挙げることができる。このほか、ポリ乳酸やポリカプロラクトンに代表される生分解性プラスチックも使用できる。生分解性プラスチックを使用すれば、農業用ネットの地中放置による環境汚染を最小限に抑えることができる。
【産業上の利用可能性】
【００１８】
本考案による農業用ネットは、ネットに捕獲された動物が暴れても目ずれの発生がなく、その機能を損なわれずに長期間使用することができ、省資源化にも資するものと期待される。
【符号の説明】
【００１９】
１                                押し出し機
２                                ホッパー
３                                スクリュー
４                                ブレーカープレート
５                                シリンダー
６                                円錐型シリンダー
７                                マンドレル円柱部
８                                マンドレル円錐部
９                                樹脂通路
１０                              内側ダイス
１１                              外側ダイス
１０ａ                            内側ダイスのオリフィス
１１ａ                            外側ダイスのオリフィス
１２                              摺動面
２０                              ストランド
２１                              融着部
５０                              有結節網
５１                              結節部
６０                              無結節網
６１                              交絡部
９０                              冷却バス
９１                              ローラー
９２                              カッター
１００                            本考案の農業用ネット
Ｌ                                網目サイズ
【図１】
0003225373.tif 000003
【図２】
0003225373.tif 000004
【図３】
0003225373.tif 000005
【図４】
0003225373.tif 000006
【図５】
0003225373.tif 000007
【図６】
0003225373.tif 000008
【図７】
0003225373.tif 000009
【図８】
0003225373.tif 000010
【図９】
0003225373.tif 000011
【図１０】
0003225373.tif 000012